(57)【特許請求の範囲】
【請求項１】
圧搾ボトル噴霧器の供給ヘッドであって、
空気オリフィス及び給送管のオリフィスが内部を貫通するように前記空気オリフィス及び前記給送管を有し、内部に空隙を画定するとともに、さらにプラグシールを画定する噴霧ハウジングと、
空隙の中に挿入され、噴霧オリフィスと整列する長手方向軸に沿って開放位置と閉止位置との間を移動可能であるとともに、空気通路、心棒部分によって画定され内部を液体が通過する製品通路、混合室、及び噴霧オリフィスを画定する弁と、
弁が閉止位置にあるとき、前記心棒部分を封止するように構成される前記プラグシールと、前記給送管のオリフィスを封止するように構成される前記心棒部分とを含み、
前記製品通路が、弁の開放位置で前記混合室及び前記給送管のオリフィスと連通し、
前記空気通路が、弁の開放位置で前記混合室及び前記空気オリフィスと連通し、
弁が閉止位置にあるとき、前記混合室が、前記給送管のオリフィス及び前記空気オリフィスと連通しないことを特徴とする供給ヘッド。
【請求項２】
前記弁及び前記噴霧オリフィスと同じ側にプルノブが配置されていることを特徴とする請求項１に記載の供給ヘッド。
【請求項３】
前記ボトルの非圧搾時に、ボトル内の液体のレベルよりも高いレベルで浸漬管の中に液体を保持する手段を含むことを特徴とする請求項２に記載の供給ヘッド。
【請求項４】
浸漬管の中に液体を保持する前記手段が玉逆止め弁であることを特徴とする請求項３に記載の供給ヘッド。
【請求項５】
前記玉逆止め弁が一定の直径を有する前記給送管と接続され、
前記給送管の玉逆止め弁との接続端部にスロットを設け、液体がスロットを通して前記給送管に流れるようにしたことを特徴とする請求項４に記載の供給ヘッド。
【請求項６】
ボトルを圧搾することで、浸漬管を通過する液体と空気とが混合された、液体と空気の噴霧が噴霧オリフィスを介して発散されるように構成された圧搾ボトル噴霧器であって、
或る量の液体、及び或る量の空気を液体の上に含む圧搾可能なボトルと、
前記或る量の液体の中へ伸びる浸漬管と、
プラグシールを有するとともに、弁を挿入するための空隙を画定する噴霧器本体と、
前記空隙内に挿入され、噴霧オリフィスと整列する長手方向軸に沿って開放位置と閉止位置との間を移動可能である弁であって、前記噴霧オリフィスに向かって先細りとなるテーパ部分を有し、このテーパ部分によって混合室を画定し、前記噴霧オリフィスはテーパ部分の終点で弁を通るように画定され、弁は、弁の開放位置で混合室と浸漬管とを接続し、心棒部分によって内部を液体が通過する製品通路を画定し、弁及び前記製品通路は、前記長手方向軸に沿って閉止位置へ選択的に移動可能であり、当該閉止位置において、混合室と浸漬管との接続が切断される弁と、
前記製品通路の一部分の周りで同心的に配置され、前記或る量の空気を含むボトルの内部を混合室と接続し、噴霧器本体のテーパ部分に丁度対向する位置で混合室と連通する空気通路であって、弁が閉止位置にあるとき、前記混合室とボトルの内部との接続が切断される空気通路と、
弁に対して、前記噴霧オリフィスと同じ側に置かれたプルノブとを含み、
弁が閉止位置にあるとき、前記プラグシールは前記心棒部分を封止するように構成され、前記心棒部分は浸漬管を封止するように構成され、
弁が開放位置にあるときボトルを圧搾すると、前記空気通路からの空気ストリームは、噴霧器本体のテーパ部分によって偏向され、混合室の中で前記製品通路からの液体の中心ストリームに集束及び衝突し、液体ストリームを霧にすることを特徴とする圧搾ボトル噴霧器。
【請求項７】
更に、前記浸漬管及び前記製品通路と流体連絡する玉逆止め弁を含み、玉逆止め弁は、前記ボトルを圧搾したとき、ボトル内の液体のレベルよりも高いレベルで浸漬管の中に液体を保持することを特徴とする請求項６に記載の圧搾ボトル噴霧器。
【請求項８】
前記弁が２つの部品から構成されることを特徴とする請求項６に記載の圧搾ボトル噴霧器。
【請求項９】
ボトルを圧搾することで、浸漬管を通過する液体と空気とが混合された、液体と空気の噴霧が噴霧オリフィスを介して発散されるように構成された圧搾ボトル噴霧器であって、
或る量の液体、及び或る量の空気を液体の上に含み、固定リムを有するネックを含む圧搾可能なボトルと、
前記或る量の液体の中へ伸びる浸漬管と、
プラグシールを有するとともに、弁を挿入するための空隙を画定し、前記固定リムと協調してボトルに対して固定される噴霧器本体と、
前記空隙内に挿入され、噴霧オリフィスと整列する長手方向軸に沿って開放位置と閉止位置との間を移動可能である弁であって、前記噴霧オリフィスに向かって先細りとなるテーパ部分を有し、このテーパ部分によって混合室を画定し、前記噴霧オリフィスはテーパ部分の終点で弁を通るように画定され、弁は、弁の開放位置で混合室と浸漬管とを接続し、心棒部分によって内部を液体が通過する製品通路を画定し、弁及び前記製品通路は、前記長手方向軸に沿って閉止位置へ選択的に移動可能であり、当該閉止位置において、混合室と浸漬管との接続が切断される弁と、
前記製品通路の一部分の周りで同心的に配置され、前記或る量の空気を含むボトルの内部を混合室と接続し、噴霧器本体のテーパ部分に丁度対向する位置で混合室と連通する空気通路であって、弁が閉止位置にあるとき、前記混合室とボトルの内部との接続が切断される空気通路と、
弁に対して、前記噴霧オリフィスと同じ側に置かれたプルノブとを含み、
弁が閉止位置にあるとき、前記プラグシールは前記心棒部分を封止するように構成され、前記心棒部分は浸漬管を封止するように構成され、
弁が開放位置にあるときボトルを圧搾すると、前記空気通路からの空気ストリームは、噴霧器本体のテーパ部分によって偏向され、混合室の中で前記製品通路からの液体の中心ストリームに集束及び衝突し、液体ストリームを霧にすることを特徴とする圧搾ボトル噴霧器。
【請求項１０】
前記ボトルはネックとボトルとの接続部に環状溝を形成し、前記噴霧器本体は環状溝の中へ伸びる柔軟性スカートを有し、この環状溝が柔軟性スカートへ放射方向に内側の力を加えるような形状を有することを特徴とする請求項９に記載の圧搾ボトル噴霧器。
【請求項１１】
噴霧供給器を有するボトルであって、
柔軟性スカート、及び柔軟性スカートの上の第１の固定エッジを有するとともに、一体化された弁を有する噴霧ハウジングと、
ネック、ネックの上の第２の固定エッジ、ネックとボトルとの接合部でボトルに形成された環状溝を有するボトルと、
第１の固定エッジ及び第２の固定エッジが協調して噴霧ハウジングをボトルへ固定し、柔軟性スカート及び環状溝が協調して追加の固定力を提供し、
環状溝が、柔軟性スカートへ放射方向に内側の力を加えるような形状を有することを特徴とするボトル。
【発明の詳細な説明】
【０００１】
（発明の属する技術分野）
本発明は、ボトルの側面を圧搾することによって加圧される供給器の供給ヘッドに関する。更に具体的には、本発明は、微細な噴霧を生成するため空気と液体が混合され、供給器が使用されていないとき、供給される液体を大気から遮断するプッシュプル型弁配列が存在する供給ヘッドに向けられている。
【０００２】
（発明の背景）
圧搾ボトル型噴霧器は、長年の間使用されてきたが、そのような噴霧器は、長期間の間に加圧容器供給系によって大部分が置き換えられた。加圧容器の代替物として使用される１つの圧搾ボトル供給器は、米国特許第５，１８３，１８６号及び第５，３１８，２０５号に説明される。これらの特許は、空気通路及び製品（即ち、流動性物質）通路が先細りの混合室で出会う圧搾ボトル供給器を示す。その発明の装置において、混合室の先細り状態は、液体のフローに対して空気のフローを或る角度で導き、混合室の中で液体の撹乱を生じさせる。この撹乱は、液体を分断し、それを空気と密接に混合する。その結果、微細な噴霧が噴霧オリフィスから推進される。
【０００３】
このような発明の欠点は、比較的高価な玉弁を液体の出口で使用しなければならず、ボトルが逆さまになったとき、液体が供給器の外へ漏れ出すことである。なぜなら、空気通路は流体のフローに対して完全に開放されるからである。更に、この配列において、噴霧オリフィス及び空気の通気路は、供給される液体と空気が継続的に接触することを許す。これは、液体物質の乾燥を生じ、噴霧オリフィスを詰まらせて適切な噴霧を妨害する不利益な結果を生じる。
【０００４】
圧搾ボトルに関連する他の特許は、米国特許第５，２７３，１９１号である。この特許も、空気及び液体を混合する先細り混合室を使用する圧搾ボトルを説明している。その特許では、様々な弁配列が示される。それらの中には、混合室への液体のフローを制御し、混合室及び圧搾ボトルへの空気のフローを制御する弁付きガスケットが含まれる。更に、その特許は、液体通路内の圧力に応答して液体通路を開放及び閉止するバイアスをかけた弁要素を示す。
【０００５】
プッシュプル型弁配列を有する供給器の供給ヘッドは、米国特許出願第０９／０７３，６１５号に開示される。この特許出願は、参照してここに組み込まれる。その発明において、圧搾ボトルは液体フローの通路及び空気フローの通路を有する。ボトルが圧搾されたとき、液体は液体フローの通路を介して移送され、加圧された空気は空気フローの通路を介して移送される。これらの２つのフローは、噴霧オリフィスに隣接して配置された混合室で合流する。空気及び液体は、混合されて微細な噴霧を形成する。この発明の欠点は、プルノブが噴霧オリフィスの反対側に置かれていることである。更に、この発明は、供給されるべき液体と空気が継続的に接触することを許す。
【０００６】
（発明の開示）
本発明の目的は、非加圧容器、例えば圧搾ボトルと一緒に使用され、プッシュプル型弁を使用し、プルノブが噴霧オリフィスと同じ側に置かれた噴霧供給装置を提供することである。
【０００７】
本発明の更なる目的は、供給器の内部通路へ空気が侵入するのを防止する弁を提供することである。
【０００８】
本発明に従えば、或る量の液体を保持する圧搾ボトルの中へ伸びることのできる浸漬管を有する圧搾ボトル噴霧器、圧搾ボトル噴霧器の供給ヘッド、および噴霧供給器を有するボトルが提供される。浸漬管の最上部は、玉逆止め弁アセンブリへ接続される。この玉逆止め弁アセンブリは玉を有し、この玉は、通常、制限された直径の導管の最上部に載っている。噴霧供給器の中の空気通路は、ボトルの内部を供給器内の混合室と接続することができる。別個の製品通路が玉逆止め弁の最上部から混合室へ通され、混合室の中で噴霧オリフィスへ向かって導かれる。空気通路は、混合室へ通じる製品通路の一部分の周りで同心的に配置された環状通路である。
【０００９】
ボトルが圧搾されたとき、結果として生じた圧力は、空気を混合室の中へ強制し、液体を浸漬管の上方へ強制する。液体は玉逆止め弁の開放を強制し、液体が混合室へ向かって導かれる。同時に、空気が環状空気通路を通るように強制される。空気のストリームは、混合室の先細り壁によって偏向されたとき、液体の中心ストリームへ集束及び衝突する。これは液体の微粒化を生じ、微細な噴霧が噴霧オリフィスを通って推進される。
【００１０】
ボトル内の圧力が減少したとき、玉は制限直径の導管の上へ下降して戻り、それによって浸漬管の中に製品を捕捉する。従って、製品は、ボトル内の液体レベルよりも上に、浸漬管の中で高レベルに保持され、次の圧搾サイクルの準備が整えられる。このようにして、噴霧に先立って通常発生する遅延時間が削除される。
【００１１】
製品通路は、噴霧供給器の本体の中に設けられた弁の中に形成される。弁は、有利には、空気通路及び製品通路を開放及び閉止するプッシュプル弁として形成されてよい。弁の閉止位置では、製品通路及び空気通路の双方は、圧搾ボトルの内部から完全に遮断され、それによって空気は圧搾ボトルの内部へ入らない。従って、通路の遮断は、圧搾ボトル内で液体製品の乾燥の可能性を減少させる。
【００１２】
本発明のプッシュプル弁の更なる利点は、プッシュプル弁が、噴霧オリフィスと同じ側に置かれたノブによって操作されることである。消費者は、食器用液体洗剤ボトルのような製品供給器によって、そのような操作様式の弁に特に慣れている。
【００１３】
本発明の更なる目的は、噴霧ハウジングをボトルのネックへ固定する改善されたスナップオン接続を提供することである。この目的に従って、噴霧ハウジングは、ボトル上の環状溝の中へ伸びる柔軟性スカートを設けられる。環状溝は柔軟性スカートの上に放射方向の力を働かせる。柔軟性スカートはスナップオン接続へ追加の固定力を与える。
【００１４】
有利なことに、これは、より薄い材料でスカート壁を作ることを可能にするが、それでも十分な固定力を提供する。より薄い材料でスカート壁を作ることができるので、より大きな公差でネックを製造することができ、噴霧ハウジングをネックへ押し込む過剰な力を必要とすることなく、噴霧ハウジングをネックへ取り付けることができる。より大きな公差は、世界中の様々な製造工場でボトルが作られることを可能にする。更に、スカートは環状溝へ結合されるので、ボトル／噴霧供給器の組み合わせは、従来の設計よりも干渉を困難にする。
【００１５】
本発明の更なる目的及び利点は、開示された発明の詳細な説明から当業者に明らかになるであろう。
【００１６】
（発明を実施するための最良の形態）
図１に示されるように、本発明の噴霧供給系は、或る量の液体又は他の流動性物質を保持する圧搾ボトル１（部分的に示される）を含む。圧搾可能ボトルは、当技術分野で知られた任意適切な弾力性プラスチックから作られることができる。
【００１７】
噴霧供給装置の噴霧器本体１７の一例としての噴霧ハウジングは、当業者に知られた任意の方式でボトル１のネック５の上に取り付け可能に構成される。噴霧供給装置の噴霧ハウジング１７は浸漬管３を含む。浸漬管３の大きさは、噴霧供給装置がボトルに取り付けられたとき、最下部開放端がボトルの底の近くに来るような大きさである。
【００１８】
浸漬管３の上端は、玉逆止め弁７の制限導管６を受け取る。制限導管６は、流体が通過できるように浸漬管３と連通する。制限導管６の内径は、玉逆止め弁７の玉８の直径よりも小さいので、通常、玉８は制限導管６の上に乗っている。玉８がこの位置にあるとき、玉逆止め弁７は閉止され、従って浸漬管３の最上端も閉止される。玉逆止め弁７の残り部分の内径は、玉８の直径よりも大きい。この場合、玉８は、浸漬管内の流体の上昇運動に応答して上方へ自由に移動し、玉逆止め弁７を開放する。
【００１９】
玉逆止め弁７の最上部は、同軸に配置された給送管９を受け取る。給送管９は制限導管６から弁１０へ流体が通過できるようにする。給送管９は玉８の直径よりも小さな内径を有し、従って玉８の上方への移動を制限する。給送管９の端部は、周辺に間隔を取って設けられた一連の放射スロット１００を有する。スロット１００は、玉８が流体の上方移動に応答して上方に移動するとき、流体が玉逆止め弁７から給送管９へ自由に流れることを可能にする。従って、給送管９は玉８から少しの距離を置いて上方へ配置され、玉８は上方へ自由に動いて玉逆止め弁７を開放する。
【００２０】
図４Ａ及び図４Ｂは、玉逆止め弁の代替の構成を示す。この構成では、給送管９’の内径は、玉逆止め弁７’の残りの部分と実質的に同じである。バー２９は、給送管９’の最上部を横切って形成される。従って、玉８’は、上方へ自由に移動して玉逆止め弁７’を開放するが、移動は制限される。給送管の直径は玉８の直径よりも大きいので、製品は玉を通過して自由に流れることができる。
【００２１】
図１へ戻ると、構成を簡単にするため、給送管９は噴霧ハウジング１７の弁壁の延長として構成される。弁壁１１の給送管９は、弁１０が開放位置にあるとき、弁１０の中の製品通路１２と連通することができる。更に、弁壁１１は、環状空気通路１４と連通する空気オリフィス１３を設けられる。図１に示されるように、環状空気通路１４は、スライドハウジング２２の本体と噴霧ノズル２１との間の空間として画定され、軸水平方向を空気渦巻き通路１５へ通じる製品通路１２の部分の周りに同心的に配置される。弁１０は、噴霧ハウジング１７の弁壁１１と１８との間の空隙へ滑動可能に受け取られる。
【００２２】
弁１０は、２つの部品、即ち、噴霧ノズル２１及びスライドハウジング２２から構成される。噴霧ノズル２１は、好ましくはスナップ接続を使用して、スライドハウジング２２の中に固定される。噴霧ノズル２１はプルノブ２６を含む。使用者はプルノブ２６を掴み、スライド弁１０を開放方向Ｏ及び閉止方向Ｃへプル及びプッシュする。
【００２３】
噴霧ノズル２１のテーパ部分１９及び２０は、それらの間に混合室１５と呼ばれる空隙を画定する。テーパ部分１９及び２０は円錐を画定してよい。製品通路１２の一部分は、ほぼ水平方向で混合室１５へ通じている。図１及び図２に示されるように、環状空気通路１４は、水平方向で混合室１５へ通じる製品通路１２の部分の周りに同心的に配置される。テーパ部分１９及び２０は、混合室１５の噴霧オリフィス１６を画定するため、一緒になる前に終端する。
【００２４】
ボトル１のネック５は、固定リムの一例としての環状出っ張り４１を有し、噴霧ハウジング１７の上の環状リム２８と協調して、噴霧ハウジング１７がボトル１のネックへ押し付けられたとき、ボトル１へ噴霧ハウジング１７を固定する。噴霧ハウジング１７は、当業者が知るように、プラグシール３０又はガスケット配列３１によってボトルへ密着されてよい。
【００２５】
代替的に、図５で示されるように、キャップがボトルへ取り付けられてよい。図５において、噴霧ハウジング１７は、第１の固定エッジ３７を有する第１の環状リム３２を有する。ボトル３３はネック３４を有する。ネックは、第２の固定出っ張り３６を有する第２の環状リム３５を有する。第１の固定出っ張り３７は、第２の固定出っ張り３６と協調して、噴霧ハウジングをボトルへ固定する。ネック５とボトル１との間の接続部に、環状溝３８が存在する。噴霧ハウジングのスカート３９は、この溝の中へ伸びている。噴霧ハウジング１７とネックのリムとの間にガスケット４０が存在して、実質的に流体を漏らさないシールを提供している。代替的に、流体防止シールを形成するため、プラグシールが使用されてよい。噴霧ハウジングをボトルに取り付けるためには、噴霧ハウジング１７がボトルのネックへ押し付けられる。スカート３９は、弾力的に曲がり、第１の環状３２が第２の環状リム３５の上を通過することを可能にする。第１の環状リムが第２の環状リムを通過した後、スカートの弾力性は、第２の環状リムがネックの方向へ戻るように強制する。従って、第１及び第２の固定エッジは一緒の位置に置かれ、キャップが外れるのを防止する。更に、柔軟性スカート３９は溝３３の中へ伸び、溝３３の形状は、スカートのエッジを定位置に保持して、更なる保持力を提供する。
【００２６】
図１に戻ると、スライドハウジング２２は、噴霧ハウジング１７の弁壁１１と１８との間の空隙に置かれる。スライドハウジング２２は、完全な開放位置（図１）と完全な閉止位置（図２）との間で長手方向軸に沿って滑ることができる。完全な閉止位置では、製品通路１２は給送管９と整列せず、環状空気通路１４は空気オリフィス１３と整列しない。図２で示されるように、完全な閉止位置では、スライドハウジング２２は、給送管９及び空気オリフィス１３を完全に封止する。
【００２７】
スライドハウジング２２は、噴霧ハウジング１７の弁壁１１及び１８の中で滑るように移動される。噴霧ハウジング１７の上のリム２３は、スライドハウジングの内側及び外側への運動を制限する。スライドハウジング２２は心棒部分２４を含む。心棒部分２４は、放射リブ２５を介してスライドハウジング２２と統合的に成形される。これは、空気がスライドハウジングと放射リブ２５との間を流れる通路を作り出す。図３で示されるように、放射リブ２５は、好ましくは４５゜の角度であり、弾力的嵌め合いを可能にする。製品通路１２は心棒部分２４を貫通する。
【００２８】
噴霧ハウジング１７の端部壁２７は、心棒部分２４を受け取るように構成される。閉止位置において、側壁２７及びプラグシール５０は、製品通路１２を完全に封止する。
【００２９】
これから、流体及び空気の通路を説明することによって、本発明の噴霧供給装置を圧搾ボトルと一緒に使用したときの動作を説明する。ボトル１を圧搾すると、ボトルの中の圧力が増加し、流体２が浸漬管３を上昇するように強制する。流体は、制限導管６を通るように強制され、玉８が導管６の最上部から離れるように玉８を上方へプッシュし、それによって玉逆止め弁７を開放する。従って、流体は、給送管９の中へ自由に流れて製品通路１２の方へ移動する。流体ストリームは、通路１２から混合室１５の中へ注入され、水平方向を噴霧オリフィス１６の方へ移動する。図１及び図２から、製品通路１２は、噴霧オリフィスと丁度対向する位置で混合室１５と連通することが分かる。
【００３０】
ボトルを圧搾すると、圧力の増加は、更に、ボトル内の流体レベルの上にある空気が、空気オリフィス１３を通って環状空気通路１４の中へ入るように強制する。空気が混合室１５へ達するまで移動しなければならない距離は、液体が移動しなければならない距離よりも短く、従って液体は空気よりも前には混合室へ達しないことが分かる。このようにして、流体が噴霧オリフィス１６から出る前に、空気との混合が確実に行なわれる。
【００３１】
環状空気通路１４は、水平方向に混合室へ通り、混合室のテーパ又は円錐部分１９及び２０の丁度対向する位置で混合室１５と連通する。テーパ部分１９及び２０は、環状空気通路１４からの環状空気ストリームを、製品通路１２からの中心水平液体ストリームへ鋭角で導く。従って、空気の環状ストリームは、噴霧オリフィス１６に近い地点で、液体の中心ストリームへ集束及び衝突する。液体は相当に撹乱され、その撹乱は液体を分断して、それを空気と密接に混合する。その結果、微細な噴霧が噴霧オリフィス１６から推進される。噴霧オリフィス１６は、円形で対称的な噴霧パターンを生成し、小滴は対称的な微粒子サイズの分散を生じる。
【００３２】
圧力がボトルから除去されると、外部の空気が噴霧オリフィス１６を通ってボトルの中へ引き込まれるので、ボトルは元の形状へ戻る。噴霧オリフィス１６を通る空気の引き込みは、各々の圧搾サイクルの後で噴霧オリフィス１６及び混合室１５を掃除し、それによって噴霧オリフィス１６の詰まりを防止する。本発明のこの自己掃除機能は、詰まりが最も頻繁に起こる粘着性製品の場合に特に有利である。
【００３３】
圧力の除去は、更に、液体が給送管９を下降するようにし、それは玉８の下降を助け、それによって制限導管６の最上部が閉止される。玉８による導管６の閉止は、液体を給送管３の中に捕捉することが分かるであろう。従って、次の圧搾サイクルでは、製品は既に浸漬管内の非常に高いレベルにあり、従って噴霧が発射されまでの経過時間は少なくなる。このようにして、本発明は、加圧容器を必要としないで、殆ど即時の噴霧を達成する。
【００３４】
これまでの詳細な説明において、本発明は、特定の例示的実施形態を参照して説明された。しかし、添付のクレイムに記述される本発明の広い趣旨及び範囲から逸脱することなく、様々な修正及び変更が本発明に加えられてよいことが明らかであろう。従って、説明及び図面は、制限的な意味ではなく例示的意味を有するものと考えるべきである。
【図面の簡単な説明】
【図１】  完全開放位置にある弁を示すプッシュプル噴霧ヘッドの断面図である。
【図２】  完全閉止位置にある弁を示すプッシュプル噴霧ヘッドの断面図である。
【図３】  図１の線ＡＡに沿って切断した弁の断面図である。
【図４Ａ】  代替の玉逆止め弁の正面図である。
【図４Ｂ】  代替の玉逆止め弁の側面図である。
【図４Ｃ】  代替の玉逆止め弁の平面図である。
【図５】  噴霧ハウジング保持手段の断面図である。
【図１】
0004877623.tif 000002
【図２】
0004877623.tif 000003
【図３】
0004877623.tif 000004
【図４Ａ】
0004877623.tif 000005
【図４Ｂ】
0004877623.tif 000006
【図４Ｃ】
0004877623.tif 000007
【図５】
0004877623.tif 000008